(57)【要約】【課題】  表示器に表示されている生体情報が新しいものであるかを確実に認識できる生体情報監視装置を提供する。【解決手段】  非連続的に測定された被測定者の血圧値（生体情報）を表示する表示器を備えた生体情報監視装置において、表示器に表示される血圧値に網目模様を重ね合わせることにより、その血圧値の視認性を低下させる。また、その網目模様の網目間隔を測定からの経過時間が長くなるほど細かくすることによって、血圧値の視認性を測定からの経過時間が長くなるほど低下させる。このようにすると、表示器に表示されている血圧値の視認性が低下している場合にはその血圧値は測定から時間が経過していると分かり、血圧値自体の視認性によってその血圧値が新しいかどうかが示されているので、その血圧値が新しいものであるかを確実に認識することができ、また、視認性の程度から経過時間を認識することもできる。【選択図】  図７
2006255020.tif 000002
【特許請求の範囲】
【請求項１】
生体情報測定装置によって非連続的に測定された被測定者の生体情報を表示する表示器を備えた生体情報監視装置であって、
前記表示器に表示される生体情報の視認性を、該生体情報の測定時点からの経過時間に関連して低下させる表示制御手段を含むことを特徴とする生体情報監視装置。
【請求項２】
前記表示制御手段は、前記表示器に表示されている前記生体情報を他の図形で部分的に隠すことによって、該生体情報の視認性を低下させるものであることを特徴とする請求項１に記載の生体情報監視装置。
【請求項３】
前記表示制御手段は、前記表示器に表示されている前記生体情報の色を周囲の色に近づけることによって、該生体情報の視認性を低下させるものであることを特徴とする請求項１に記載の生体情報監視装置。
【請求項４】
前記表示制御手段は、前記表示器に表示されている前記生体情報の表示サイズを小さくすることによって、該生体情報の視認性を低下させるものであることを特徴とする請求項１に記載の生体情報監視装置。
【請求項５】
前記表示制御手段は、前記表示器に表示されている前記生体情報の少なくとも一部を点滅させることによって、該生体情報の視認性を低下させるものであることを特徴とする請求項１に記載の生体情報監視装置。
【請求項６】
前記表示制御手段は、前記表示器に表示されている前記生体情報の表示色の濃淡と該生体情報の周囲の表示色の濃淡との差を小さくすることによって、該生体情報の視認性を低下させるものであることを特徴とする請求項１に記載の生体情報監視装置。
【請求項７】
前記表示制御手段は、前記表示器に表示されている前記生体情報をモザイク化することによって、該生体情報の視認性を低下させるものであることを特徴とする請求項１に記載の生体情報監視装置。
【請求項８】
前記生体情報測定装置を一体的に備えていることを特徴とする請求項１乃至請求項７のいずれかに記載の生体情報監視装置。
【請求項９】
前記生体情報測定装置が、生体の所定部位に巻回されるカフを備えた自動血圧測定装置であることを特徴とする請求項１乃至請求項８のいずれかに記載の生体情報監視装置。
【発明の詳細な説明】
【技術分野】
【０００１】
本発明は被測定者の生体情報を監視する生体情報監視装置に関し、特に、測定された生体情報の表示態様に関する。
【背景技術】
【０００２】
医療機関では種々の生体情報監視装置が用いられている。たとえば、病院のベッドサイドでは、血圧の変化を監視するために、カフを用いて血圧が所定の周期で定期的に測定されることがある。そして、測定された血圧は、生体情報監視装置の表示器に表示される。
【０００３】
生体情報監視装置は、医療従事者が被測定者の異常をより確実に且つ迅速に知ることができるようにすることが重要であるので、表示器の表示態様はできるだけ見やすいように工夫がされている。また、装置から離れた場所からでも被測定者の状態を容易に知ることができるようにするために、装置本体の主表示器とは別に、先端に表示部を備えたアラームポールが設けられ、生体情報監視装置が異常を判断したときは、その表示部にも異常が判断されたことを示す表示がされるようになっている装置も提案されている（たとえば、特許文献１）。
【特許文献１】特許第２９１８６５５号公報
【発明の開示】
【発明が解決しようとする課題】
【０００４】
前記カフによる血圧測定のように、測定が連続的に行われない場合、測定値は次の測定が行われ、新しい測定値が得られるまで、表示器にそのまま表示されていることが一般的である。
【０００５】
しかし、測定値が次回の測定までそのまま表示されている場合、測定から時間が経過し、被測定者の現時点での生体情報が異常値となっているにもかかわらず、表示器には正常値がそのまま表示されているために、医療従事者が被測定者の異常を知ることが遅れるという事態が想定される。
【０００６】
この問題を解決するために、測定値を所定時間後（たとえば１８０分後）に表示器から消去することができるようにした装置も考えられるが、測定値を表示器から消去してしまうと、自動測定の場合にまだ記録されていないのに測定値が消えてしまうとか、測定されたかどうかそれ自体が不明になることも想定されるなど、測定値を表示器から消去することには問題がある。
【０００７】
また、測定からの経過時間を表示するようにした装置も考えられるが、経過時間の表示を見落としたり、また、読み間違えたりすることも否定できない。生体情報の認識の遅れを可及的に減少させるためには、表示器に表示されている生体情報が、新しいものであるか、或いは、かなり前のものであるかを確実に認識することができるようにする必要がある。
【０００８】
本発明は以上の事情を背景として成されたものであって、その目的とするところは、表示器に表示されている生体情報が新しいものであるかを確実に認識できる生体情報監視装置を提供することにある。
【課題を解決するための手段】
【０００９】
本発明者は、前記目的を達成するために鋭意検討を重ねた結果、表示器に表示される生体情報は見やすいことが重要とされているが、測定から時間が経過した場合にはそれを敢えて見づらくすれば、その生体情報が新しいものであるかを確実に認識できることを見出した。本発明は、かかる知見に基づいて成されたものである。
【００１０】
すなわち、前記目的を達成するための第１発明は、生体情報測定装置によって非連続的に測定された被測定者の生体情報を表示する表示器を備えた生体情報監視装置であって、前記表示器に表示される生体情報の視認性を、その生体情報の測定時点からの経過時間に関連して低下させる表示制御手段を含むことを特徴とする。
【００１１】
また、第２発明は、第１発明の生体情報監視装置において、前記表示制御手段は、前記表示器に表示されている前記生体情報を他の図形で部分的に隠すことによって、その生体情報の視認性を低下させるものであることを特徴とする。
【００１２】
また、第３発明は、第１発明の生体情報監視装置において、前記表示制御手段は、前記表示器に表示されている前記生体情報の色を周囲の色に近づけることによって、その生体情報の視認性を低下させるものであることを特徴とする。
【００１３】
また、第４発明は、第１発明の生体情報監視装置において、前記表示制御手段は、前記表示器に表示されている前記生体情報の表示サイズを小さくすることによって、その生体情報の視認性を低下させるものであることを特徴とする。
【００１４】
また、第５発明は、第１発明の生体情報監視装置において、前記表示制御手段は、前記表示器に表示されている前記生体情報の少なくとも一部を点滅させることによって、その生体情報の視認性を低下させるものであることを特徴とする。
【００１５】
また、第６発明は、第１発明の生体情報監視装置において、前記表示制御手段は、前記表示器に表示されている前記生体情報の表示色の濃淡とその生体情報の周囲の表示色の濃淡との差を小さくすることによって、その生体情報の視認性を低下させるものであることを特徴とする。
【００１６】
また、第７発明は、第１発明の生体情報監視装置において、前記表示制御手段は、前記表示器に表示されている前記生体情報をモザイク化することによって、その生体情報の視認性を低下させるものであることを特徴とする。
【００１７】
また、第８発明は、第１発明乃至第７発明のいずれかの生体情報監視装置において、前記生体情報測定装置を一体的に備えていることを特徴とする。
【００１８】
また、第９発明は、第１発明乃至第８発明のいずれかの生体情報監視装置において、前記生体情報測定装置が、生体の所定部位に巻回されるカフを備えた自動血圧測定装置であることを特徴とする。
【発明の効果】
【００１９】
第１発明によれば、表示器に表示されている生体情報の視認性が低下している場合にはその生体情報は測定から時間が経過していると分かり、生体情報自体の視認性によってその生体情報が新しいかどうかが示されているので、その生体情報が新しいものであるかを確実に認識することができる。
【００２０】
第２発明乃至第７発明は、第１発明の具体的態様を示した発明であることから、いずれの発明も第１発明と同様の効果が得られる。
【発明を実施するための最良の形態】
【００２１】
本発明の生体情報監視装置は、第８発明のように、生体情報測定装置を一体的に備えたものであってもよいが、セントラルモニタ（生体情報集中監視装置）のように、生体情報測定装置（あるいは生体情報測定機能）を備えず、別体とされた生体情報測定装置によって測定された生体情報を無線或いは有線で受信して表示するものであってもよい。
【００２２】
生体情報測定装置は、生体情報を非連続的に測定するものであれば特に生体情報の種類に限定はない。なお、非連続的な測定には、所定の周期での周期的な測定が含まれるのはもちろんのこと、不定期な測定も含まれる。また、周期的な測定には、測定周期が厳密に時間で決まっている測定だけでなく、たとえば、朝夕に測定されるものなども含まれる。また、生体情報測定装置は、自動的に生体情報を測定する装置であっても、手動操作によって生体情報を測定する装置であってもよい。
【００２３】
表示器に表示される生体情報の表示態様は、数値であってもよいが、棒グラフ表示などの図形表示であってもよい。
【００２４】
表示制御手段が表示器に表示される生体情報の視認性を低下させる方法としては、第２発明のように、表示器に表示されている生体情報を他の図形によって部分的に隠す方法があり、ここでの図形は、所定の繰り返しパターンで線図が連続的に繰り返される模様であってもよいし、また、文字であってもよい。たとえば、表示器において上記生体情報の周囲に表示されていた他の文字情報が大きく表示されることによって生体情報が部分的に隠されてもよい。また、他の図形は、生体情報が表示されている表示器に表示させてもよいが、その表示器の前面に別に設けられた光透過率が所定の部位毎に制御可能な表示装置（たとえばエレクトロクロミックガラスなど）に表示させてもよい。
【００２５】
また、視認性を低下させる方法としては、第３発明のように、生体情報の表示色を周囲の色に近づける方法があり、表示器がカラー表示器である場合には、生体情報の表示色の色相を周囲の表示色の色相に近づければよい。また、表示器として単色ＬＥＤ（発光ダイオード）を用いている場合には、輝度を低下させることにより、すなわち暗くすることにより、表示色を周囲の色に近づければよい。
【００２６】
また、視認性を低下させる方法として、第６発明のように表示器に表示されている生体情報の表示色の濃度とその周囲の表示色の濃度との濃淡の差（すなわちコントラスト）を小さくする方法がある。また、濃淡の差を小さくするには、生体情報の表示色の濃度を調整してもよいし、その周囲の表示色の濃度を調整してもよいし、両方を調整してもよい。
【００２７】
また、視認性を低下させる方法として、第７発明のように表示器に表示されている生体情報をモザイク化する方法もある。このモザイク化は、具体的には、複数の画素（ドット）をより大きな１つの画素単位（固まり）として１つの色にまとめる処理であり、たとえば、正方形状をなす４つの画素をその左上など所定の画素の色にまとめる処理である。
【００２８】
表示制御手段は、生体情報の測定時点からの経過時間が長くなるほどその生体情報の視認性を段階的に或いは連続的に低下させることが好ましい。このようにすれば、表示器に表示されている生体情報が単に新しいものであるかどうかが分かるだけでなく、その生体情報が測定されてからの経過時間までも確実に認識できるようになる。たとえば、第２発明の場合には、生体情報を隠す部分を経過時間が長くなるほど多くすることによって視認性を段階的に或いは連続的に低下させ、第３発明の場合には、経過時間が長くなるほど生体情報の色を周囲の色に近づけることによって視認性を段階的に或いは連続的に低下させ、第４発明の場合には、経過時間が長くなるほど生体情報の表示サイズを小さくすることによって視認性を段階的に或いは連続的に低下させ、第５発明の場合には、経過時間が長くなるほど生体情報の点滅周期を長くしたり、経過時間が長くなるほど生体情報の点滅部分を多くしたりすることによって視認性を段階的に或いは連続的に低下させ、第６発明の場合には、経過時間が長くなるほど生体情報とその周囲との濃淡を小さくすることによって視認性を段階的に或いは連続的に低下させ、第７発明の場合には、経過時間が長くなるほど画素単位を大きくすることによって視認性を段階的に或いは連続的に低下させればよい。しかし、表示制御手段は、一度だけ視認性を低下させるものであってもよい。一度だけ視認性を低下させれば、前述の発明の効果が一応得られるからである。
【００２９】
次に、本発明の一実施例を図面を参照して詳細に説明する。図１は、本発明が適用された生体情報監視装置１０の外観構成を概略的に示す図である。図１の生体情報監視装置１０は、箱状の本体１２と、その本体１２に配管１４によって接続されているカフ１６とを備えている。なお、この生体情報監視装置１０は自動血圧測定装置（すなわち生体情報測定装置）としての機能も備えている。上記本体１２には、表示器１８、スピーカ２０、入力キー（入力装置）２２が備えられている。
【００３０】
図２は、上記生体情報監視装置１０の回路構成を示すブロック図である。前記カフ１６はゴム製袋を布製帯状袋内に有しており、上腕部２４に巻回される。カフ１６には、圧力センサ２６、調圧弁２８が前記配管１４を介してそれぞれ接続されている。また、調圧弁２８には、配管３０を介して空気ポンプ３２が接続されている。調圧弁２８は、空気ポンプ３２により発生させられた圧力の高い空気を調圧してカフ１６内へ供給し、あるいは、カフ１６内の空気を排気することにより、カフ１６内の圧力を調圧する。
【００３１】
圧力センサ２６は、カフ１６内の圧力を検出してその圧力を表す圧力信号ＳＰを静圧弁別回路３４および脈波弁別回路３６にそれぞれ供給する。静圧弁別回路３４はローパスフィルタを備えており、圧力信号ＳＰに含まれる定常的な圧力すなわちカフ１６の圧迫圧力（すなわちカフ圧ＰＣ）を表すカフ圧信号ＳＣを弁別してそのカフ圧信号ＳＣをＡ／Ｄ変換器３８を介して電子制御装置４０へ供給する。脈波弁別回路３６はたとえば１乃至３０Ｈｚ程度の信号通過帯域を有するバンドパスフィルタを備えており、圧力信号ＳＰの振動成分であるカフ脈波信号ＳＭを弁別してそのカフ脈波信号ＳＭをＡ／Ｄ変換器４２を介して電子制御装置４０へ供給する。上記カフ脈波信号ＳＭは、図示しない上腕動脈からカフ１６に伝達されてカフに発生する脈波であることからカフ脈波を表す。
【００３２】
電子制御装置４０は、ＣＰＵ４４、ＲＯＭ４６、ＲＡＭ４８、および図示しないＩ／Ｏポート等を備えた所謂マイクロコンピュータにて構成されており、ＣＰＵ４４は、ＲＯＭ４６に予め記憶されたプログラムに従ってＲＡＭ４８の記憶機能を利用しつつ信号処理を実行することにより、図３に示す機能を実行する。
【００３３】
図３は、ＣＰＵ４４の制御機能の要部を示す機能ブロック図である。カフ圧制御手段５０は、静圧弁別回路３４から逐次供給されるカフ圧信号ＳＣに基づいてカフ圧ＰＣを判断しつつ、駆動信号を出力して調圧弁２８および空気ポンプ３２を制御することにより、カフ圧ＰＣを上腕部２４における最高血圧値ＢＰＳＹＳよりも高い値に予め設定された昇圧目標圧力値ＰＣＭ（たとえば１８０ｍｍＨｇ）まで急速に昇圧し、続いて、後述する血圧値決定手段５４による血圧値ＢＰの決定が終了するまで、カフ圧ＰＣを３〜５ｍｍＨｇ／ｓｅｃに設定された徐速降圧速度で徐速降圧させる。また、カフ圧制御手段５０は、血圧値ＢＰの決定が終了した後にカフ圧ＰＣを大気圧まで排圧する。
【００３４】
振幅決定手段５２は、カフ圧制御手段５０によりカフ圧ＰＣが徐速降圧させられる過程で、脈波弁別回路３６により逐次弁別されるカフ脈波信号ＳＭが表すカフ脈波の振幅Ａを一拍毎に決定し、その振幅Ａをその振幅Ａが決定された時に静圧弁別回路３４により弁別されたカフ圧ＰＣとともにＲＡＭ４８の所定の記憶領域に記憶する。
【００３５】
血圧値決定手段５４は、入力キー２２から入力されることにより予め設定されている所定の血圧測定周期ＴＢ毎に前記カフ圧制御手段５０によってカフ圧ＰＣを制御させ、そして、カフ圧制御手段５０によりカフ圧ＰＣが徐速降圧させられる過程において、振幅決定手段５２により逐次決定されるカフ脈波の振幅Ａの変化および順次採取されるカフ圧信号ＳＣに基づき、良く知られたオシロメトリックアルゴリズムを用いて生体情報である最高血圧値ＢＰＳＹＳ、最低血圧値ＢＰＤＩＡ、および平均血圧値ＢＰＭＥＡＮを決定する。
【００３６】
表示制御手段５６は、血圧値決定手段５４によって決定された最高血圧値ＢＰＳＹＳ、最低血圧値ＢＰＤＩＡ、平均血圧値ＢＰＭＥＡＮを、決定された直後に直ちに表示器１８の所定位置に表示する。また、視認性低下制御が有効とされている場合には、血圧決定時からの経過時間ｔｐが予め設定された視認性低下時間ｔｐ１〜３となる毎に、表示器１８に表示した血圧値ＢＰに所定の粗さの網目模様を重ね合わせることにより、血圧値ＢＰの視認性を段階的に低下させる。なお、上記視認性低下制御の有効無効や上記視認性低下時間ｔｐは、たとえば入力キー２２の操作によって設定できるようになっている。
【００３７】
図４および図５は、図３に示したＣＰＵ４４の制御作動をフローチャートにした図であって、図４は所定の血圧測定周期ＴＢ毎に実行する血圧測定ルーチンであり、図５はその血圧測定ルーチンに続いて実行する表示制御ルーチンである。
【００３８】
まず、図４に示す血圧測定ルーチンから説明する。図４において、ステップＳＡ１（以下、ステップを省略する。）では、空気ポンプ３２を起動させ、調圧弁２８を制御することにより、カフ圧ＰＣの急速昇圧を開始する。そして、続くＳＡ２では、カフ圧ＰＣが１８０ｍｍＨｇに設定された昇圧目標圧力値ＰＣＭを超えたか否かを判断する。このＳＡ２の判断が否定されるうちは、ＳＡ２の判断を繰り返し実行し、カフ圧ＰＣの急速昇圧を継続する。一方、ＳＡ２の判断が肯定された場合には、ＳＡ３において、空気ポンプ３２を停止させ、且つ、調圧弁２８を制御することにより、カフ圧ＰＣの３ｍｍＨｇ／ｓｅｃ程度での徐速降圧を開始する。
【００３９】
続いて、血圧値ＢＰを決定する血圧値決定ルーチン（ＳＡ４〜ＳＡ８）を実行する。まず、ＳＡ４では、所定のサンプリング周期毎に、カフ圧信号ＳＣおよびカフ脈波信号ＳＭを読み込む。そして、ＳＡ５では、一拍分の信号を読み込んだか否かを判断する。この判断が否定された場合には、ＳＡ４を繰り返すことにより信号の読み込みを継続する。一方、ＳＡ５の判断が肯定された場合には、続くＳＡ６において、一拍分のカフ脈波の振幅Ａを決定する。上記ＳＡ４乃至ＳＡ６が振幅決定手段５２に相当する。
【００４０】
続くＳＡ７では、血圧値決定アルゴリズムすなわちオシロメトリックアルゴリズムを実行することにより、最高血圧値ＢＰＳＹＳ、平均血圧値ＢＰＭＥＡＮ、最低血圧値ＢＰＤＩＡを決定する。上記オシロメトリックアルゴリズムでは、たとえば、上記ＳＡ６で逐次決定するカフ脈波の振幅Ａが急激に大きくなるときのカフ圧ＰＣ、すなわち、振幅Ａの立ち上がり点におけるカフ圧ＰＣを最高血圧値ＢＰＳＹＳに決定する。この振幅Ａの立ち上がり点は、たとえば、逐次得られる振幅Ａに基づいて、振幅Ａの変化率ｄを逐次算出し、その変化率ｄが所定の変化率基準値ＴＨｄを超えたことに基づいて決定する。また、平均血圧値ＢＰＭＥＡＮは、たとえば、逐次得られる振幅Ａから振幅列を作成し、各振幅Ａの頂点を結んで得られる包絡線のピーク点におけるカフ圧ＰＣとし、最低血圧値ＢＰＤＩＡは、その包絡線を微分した微分曲線の変曲点（包絡線の立ち下がり点）におけるカフ圧ＰＣとする。
【００４１】
そして、続くＳＡ８では、上記ＳＡ７において血圧値ＢＰの決定が完了したか否かを判断する。このＳＡ８の判断が否定された場合には、前記ＳＡ４以下を繰り返し実行する。なお、図４のフローチャートでは、ＳＡ７乃至ＳＡ８が血圧値決定手段５４に相当する。
【００４２】
一方、上記ＳＡ８の判断が肯定された場合には、続くＳＡ９において、調圧弁２８を制御して、カフ圧ＰＣを大気圧まで排圧する。図４のフローチャートでは、ＳＡ１乃至ＳＡ３およびこのＳＡ９がカフ圧制御手段５０に相当する。
【００４３】
そして、続くＳＡ１０では、上記ＳＡ４乃至ＳＡ８の繰り返しにより決定した血圧値ＢＰを表示器１８の所定の表示位置に表示する。図６は、その一表示例を示す図である。図６に示す例は、上段左側が最高血圧値ＢＰＳＹＳ、上段右側が最低血圧値ＢＰＤＩＡ、下段（括弧内）が平均血圧値ＢＰＭＥＡＮである。
【００４４】
次に、図５に示す表示制御ルーチンを説明する。まず、ＳＢ１では、視認性低下制御が有効とされているか否かを判断する。この判断が否定された場合には、後述するＳＢ１１以降を直接実行する。一方、この判断が肯定された場合には、ＳＢ２以下を順次実行する。
【００４５】
ＳＢ２では、血圧測定が終了してからの経過時間ｔｐ（すなわち、前述の図４に示すルーチンが終了してからの経過時間）が、予め設定された第１視認性低下時間ｔｐ１を超えたか否かを判断する。この判断が否定された場合には、このＳＢ２を繰り返し実行するが、肯定された場合には、続くＳＢ３において、図７（ａ）に示すように、縦横の線からなり比較的粗い網目の網目模様を血圧値ＢＰの表示に重ね合わせることにより、その血圧値ＢＰの視認性を少し低下させる。そして、続くＳＢ４では、スピーカ２０から、表示器１８に表示されている血圧値ＢＰが少し古いものになったことを知らせるための音（または音声）を出力させるとともに、表示器１８にも、そのことを示すメッセージを表示する。
【００４６】
続くＳＢ５では、上記経過時間ｔｐが予め設定された第２視認性低下時間ｔｐ２（＞ｔｐ１）を超えたか否かを判断する。この判断が否定された場合には、このＳＢ５を繰り返し実行するが、肯定された場合には、続くＳＢ６において、図７（ｂ）に示すように、縦横の線からなり中程度の網目間隔の網目模様を血圧値ＢＰの表示に重ね合わせることにより、換言すれば、図７（ａ）の網目をさらに細かくすることにより、表示器１８に表示されている血圧値ＢＰの視認性をさらに低下させる。そして、続くＳＢ７では、スピーカ２０から、表示器１８に表示されている血圧値ＢＰがさらに古いものになったことを知らせるための音（または音声）を出力させるとともに、表示器１８にも、そのことを示すメッセージを表示する。
【００４７】
続くＳＢ８では、上記経過時間ｔｐが予め設定された第３視認性低下時間ｔｐ３（＞ｔｐ２）を超えたか否かを判断する。この判断が否定された場合には、このＳＢ８を繰り返し実行するが、肯定された場合には、続くＳＢ９において、図７（ｃ）に示すように、縦横の線からなり比較的細かい網目間隔の網目模様を血圧値ＢＰの表示に重ね合わせることにより、換言すれば、図７（ｂ）の網目をさらに細かくすることにより、表示器１８に表示されている血圧値ＢＰの視認性をより一層低下させる。そして、続くＳＢ１０では、スピーカ２０から、表示器１８に表示されている血圧値ＢＰがより一層古いものになったことを知らせるための音（または音声）を出力させるとともに、表示器１８にも、そのことを示すメッセージを表示する。
【００４８】
上記ＳＢ１０を実行した場合、または、前記ＳＢ１の判断が否定された場合には、ＳＢ１１において、上記経過時間ｔｐが予め設定された血圧測定周期ＴＢを経過したか否かを判断する。この判断が否定された場合には、このＳＢ１１を繰り返し実行するが、肯定された場合には、続くＳＢ１２において、表示器１８に表示させている血圧値表示を初期化した後、すなわち、表示器１８に表示させている血圧値ＢＰおよび網目模様を消去した後、前述の図４に示すルーチンを実行する。なお、図５に示す表示制御ルーチンおよび図４のＳＡ１０が表示制御手段５６に相当する。
【００４９】
上述のように、本実施例によれば、表示器１８に表示されている血圧値ＢＰの視認性が低下しているほどその血圧値ＢＰは測定から時間が経過していると分かり、血圧値ＢＰ自体の視認性によってその血圧値ＢＰが測定されてからの経過時間が示されているので、その経過時間を確実に認識することができる。
【００５０】
以上、本発明の実施例を図面に基づいて詳細に説明したが、本発明はその他の態様においても適用される。
【００５１】
たとえば、前述の実施例では、表示器１８に表示されている血圧値ＢＰに重ね合わせられる図形は、縦横の線からなる網目模様であったが、重ね合わせられる図形は前述の実施例の図形に限定されず、たとえば、図８に示すような互いに直交する斜めの線からなる網目模様や、図９に示すような市松模様、図１０に示すような等間隔に配置された複数の横線からなる図形などを重ね合わせてもよい。
【００５２】
また、前述の実施例の生体情報監視装置１０は、３分乃至１０数分対応に訂正された血圧測定周期ＴＢ毎に血圧測定を実行し、その血圧測定に続いて図５の表示制御を実行してもよい。
【００５３】
なお、上述したのはあくまでも一実施形態であり、本発明は当業者の知識に基づいて種々の変更、改良を加えた態様で実施することができる。
【図面の簡単な説明】
【００５４】
【図１】本発明が適用された生体情報監視装置の外観構成を概略的に示す図である。
【図２】図１の生体情報監視装置の回路構成を示すブロック図である。
【図３】図２のＣＰＵの制御機能の要部を示す機能ブロック図である。
【図４】図３に示したＣＰＵの制御作動をフローチャートにして示す図であって、所定の血圧測定周期ＴＢ毎に実行する血圧測定ルーチンである。
【図５】図３に示したＣＰＵの制御作動をフローチャートにして示す図であって、図４の血圧測定ルーチンに続いて実行する表示制御ルーチンである。
【図６】図４のＳＡ１０において表示される血圧値ＢＰの表示態様の一例を示す図である。
【図７】表示器に表示されている血圧値ＢＰに縦横の線からなる網目模様が重ね合わせ表示された状態を示す図である。
【図８】表示器に表示されている血圧値ＢＰに互いに直交する斜めの線からなる網目模様が重ね合わせ表示された状態を示す図である。
【図９】表示器に表示されている血圧値ＢＰに市松模様が重ね合わせ表示された状態を示す図である。
【図１０】表示器に表示されている血圧値ＢＰに等間隔に配置された複数の横線からなる図形が重ね合わせ表示された状態を示す図である。
【符号の説明】
【００５５】
１０：生体情報監視装置（生体情報測定装置）
１６：カフ
１８：表示器
５０：カフ圧制御手段
５６：表示制御手段
【図１】
2006255020.tif 000003
【図２】
2006255020.tif 000004
【図３】
2006255020.tif 000005
【図４】
2006255020.tif 000006
【図５】
2006255020.tif 000007
【図６】
2006255020.tif 000008
【図７】
2006255020.tif 000009
【図８】
2006255020.tif 000010
【図９】
2006255020.tif 000011
【図１０】
2006255020.tif 000012